(57)【要約】【課題】再生装置に接続されたスピーカが多チャンネル分よりも少ない場合にも、多チャンネルの音声データを再生することが可能な再生装置を提供する。【解決手段】この録画再生装置１は、配信機器として録画再生装置１が設定されたスピーカ装置４ａ〜４ｆと通信する通信部１６と、表示装置２のスピーカ部２３ａおよび２３ｂが接続可能な接続部１１と、スピーカ装置４ａ〜４ｆの第１の属性情報と、表示装置２のスピーカ部２３ａおよび２３ｂの第２の属性情報とを取得し、第１の属性情報および第２の属性情報に基づきスピーカ装置４ａ〜４ｆと表示装置２のスピーカ部２３ａおよび２３ｂとを関連付ける制御を行う制御部１５と、を備える。【選択図】図５
2017005297.tif 000002
【特許請求の範囲】
【請求項１】
第１のスピーカと通信する通信部と、
第２のスピーカが接続可能な接続部と、
前記第１のスピーカの第１の属性情報と、前記第２のスピーカの第２の属性情報とを取得し、前記第１の属性情報および前記第２の属性情報に基づき前記第１のスピーカと前記第２のスピーカとを関連付ける制御を行う制御部と、を備える、再生装置。
【請求項２】
前記制御部は、前記第２の属性情報に基づいて、前記第２のスピーカと前記再生装置とを対応付けるように構成されている、請求項１に記載の再生装置。
【請求項３】
前記制御部は、前記第１の属性情報に基づいて、再生するコンテンツの音声データのうちの前記第１のスピーカにより再生する音声データを、前記第１スピーカに対して送信し、前記第２の属性情報に基づいて、再生するコンテンツの音声データのうちの前記第２のスピーカにより再生する音声データを、前記第２スピーカに対して送信するように構成されている、請求項１または２に記載の再生装置。
【請求項４】
前記制御部は、前記第１のスピーカおよび前記第２のスピーカの各スピーカから出力される再生するコンテンツの音声データのチャンネルを設定する制御を行うように構成されている、請求項１〜３のいずれか１項に記載の再生装置。
【請求項５】
前記通信部は、前記第１のスピーカ以外の外部機器とも通信するように構成されており、
前記制御部は、前記外部機器において前記前記第１のスピーカおよび前記第２のスピーカの各スピーカから出力される再生するコンテンツの音声データのチャンネルを設定した設定情報を、前記通信部を介して、前記外部装置から取得するように構成されている、請求項１〜４のいずれか１項に記載の再生装置。
【請求項６】
前記第１の属性情報は、所定のオーディオシステムにおいて複数のスピーカにより形成されるグループのスピーカであるという情報を含み、
前記第２の属性情報は、表示装置に設けられたスピーカであるという情報を含む、請求項１〜５のいずれか１項に記載の再生装置。
【請求項７】
所定のオーディオシステムのグループを形成する第１のスピーカと再生装置の通信部により通信するステップと、
前記所定のオーディオシステムのグループ外の第２のスピーカが前記再生装置の接続部に接続されるステップと、
前記グループ内の前記第１のスピーカの第１の属性情報と、前記グループ外の前記第２のスピーカの第２の属性情報とを前記再生装置の制御部により取得するステップと、
前記第１の属性情報および前記第２の属性情報に基づき前記第１のスピーカと前記第２のスピーカとを関連付ける制御を前記再生装置の前記制御部により行うステップと、を備える、再生方法。
【発明の詳細な説明】
【技術分野】
【０００１】
この発明は、再生装置および再生方法に関する。
【背景技術】
【０００２】
従来、音声信号などを再生する再生装置が知られている（たとえば、特許文献１参照）。
【０００３】
上記特許文献１には、情報記録媒体としてのディスクからコンテンツの映像音声ストリームを読み込むコンテンツ保持部と、コンテンツの映像音声ストリームに基づいて映像信号と音声信号とを出力するコンテンツ再生部と、映像信号と音声信号とを外部の表示装置に出力する映像音声出力部と、コンテンツ保持部、コンテンツ再生部および映像音声出力部を制御するコントローラとを備える映像音声再生装置が開示されている。また、外部の表示装置は、映像音声再生装置からの映像信号に基づく映像を表示し、音声信号に基づく音を出力するように構成されている。このような表示装置では、一般的に、表示部に映像が表示され、スピーカにより音が出力される。
【先行技術文献】
【特許文献】
【０００４】
【特許文献１】ＷＯ２０１４／０７３２２９号公報
【発明の概要】
【発明が解決しようとする課題】
【０００５】
ここで、近年、ブルーレイディスクなどの普及により、７．１チャンネルなどの多チャンネルの音声データを含むコンテンツが増加している。しかしながら、上記特許文献１に記載の映像音声再生装置に接続された外部表示装置の有するスピーカの数が、多チャンネル（たとえば、７．１チャンネル）分の数よりも少ない場合には、多チャンネルの音声データの再生を行うことができないという問題点がある。
【０００６】
この発明は、上記のような課題を解決するためになされたものであり、この発明の１つの目的は、再生装置に接続されたスピーカが多チャンネル分よりも少ない場合にも、多チャンネルの音声データを再生することが可能な再生装置および再生方法を提供することである。
【課題を解決するための手段】
【０００７】
この発明の第１の局面による再生装置は、第１のスピーカと通信する通信部と、第２のスピーカが接続可能な接続部と、第１のスピーカの第１の属性情報と、第２のスピーカの第２の属性情報とを取得し、第１の属性情報および第２の属性情報に基づき第１のスピーカと第２のスピーカとを関連付ける制御を行う制御部と、を備える。
【０００８】
この発明の第１の局面による再生装置では、上記のように制御部を構成することによって、第１のスピーカと再生装置に接続された第２のスピーカとを連携させて、コンテンツの音声データを再生させることができる。その結果、再生装置に接続された第２のスピーカの数が多チャンネル分の数よりも少ない場合にも、多チャンネルの音声データを容易に再生することができる。
【０００９】
上記第１の局面による再生装置において、好ましくは、制御部は、第２の属性情報に基づいて、第２のスピーカと再生装置とを対応付けるように構成されている。このように構成すれば、再生装置と対応付けられた第２のスピーカを利用して、多チャンネルの音声データを容易に再生することができる。
【００１０】
上記第１の局面による再生装置において、好ましくは、制御部は、第１の属性情報に基づいて、再生するコンテンツの音声データのうちの第１のスピーカにより再生する音声データを、第１スピーカに対して送信し、第２の属性情報に基づいて、再生するコンテンツの音声データのうちの第２のスピーカにより再生する音声データを、第２スピーカに対して送信するように構成されている。このように構成すれば、第１のスピーカと第２のスピーカとにより、確実に、多チャンネルの音声データを再生することができる。
【００１１】
上記第１の局面による再生装置において、好ましくは、制御部は、第１のスピーカおよび第２のスピーカの各スピーカから出力される再生するコンテンツの音声データのチャンネルを設定する制御を行うように構成されている。このように構成すれば、コンテンツの音声データのチャンネルをいずれのスピーカから出力させるかを、ユーザは任意に選択することができる。その結果、ユーザの好みに応じた多チャンネルの音声データを再生することができる。
【００１２】
上記第１の局面による再生装置において、好ましくは、通信部は、第１のスピーカ以外の外部機器とも通信するように構成されており、制御部は、外部機器において第１のスピーカおよび第２のスピーカの各スピーカから出力される再生するコンテンツの音声データのチャンネルを設定した設定情報を、通信部を介して、外部装置から取得するように構成されている。このように構成すれば、コンテンツの音声データのチャンネルをいずれのスピーカから出力させるかを、ユーザは外部機器を用いて任意に選択することができる。その結果、ユーザの好みに応じた多チャンネルの音声データを再生することができる。
【００１３】
上記第１の局面による再生装置において、好ましくは、第１の属性情報は、所定のオーディオシステムにおいて複数のスピーカにより形成されるグループのスピーカであるという情報を含み、第２の属性情報は、表示装置に設けられたスピーカであるという情報を含む。このように構成すれば、所定のオーディオシステムを構成するスピーカとしての第１のスピーカと、表示装置に設けられたスピーカとしての第２のスピーカとを容易に関連付けることができる。
【００１４】
この発明の第２の局面による再生方法は、所定のオーディオシステムのグループを形成する第１のスピーカと再生装置の通信部により通信するステップと、所定のオーディオシステムのグループ外の第２のスピーカが再生装置の接続部に接続されるステップと、グループ内の第１のスピーカの第１の属性情報と、グループ外の第２のスピーカの第２の属性情報とを再生装置の制御部により取得するステップと、第１の属性情報および第２の属性情報に基づき第１のスピーカと第２のスピーカとを関連付ける制御を再生装置の制御部により行うステップと、を備える。
【００１５】
この発明の第２の局面による再生方法では、上記のように再生装置の制御部によるステップを構成することによって、上記第１の局面による再生装置と同様に、再生装置に接続された第２のスピーカの数が多チャンネル分の数よりも少ない場合にも、多チャンネルの音声データを再生することができる。
【発明の効果】
【００１６】
本発明によれば、上記のように、再生装置に接続されたスピーカが多チャンネル分よりも少ない場合にも、多チャンネルの音声データを再生することが可能な再生装置および再生方法を提供することができる。
【図面の簡単な説明】
【００１７】
【図１】本発明の第１実施形態による再生システムの全体構成を示す図である。
【図２】本発明の第１実施形態による再生システムの全体構成を示すブロック図である。
【図３】本発明の第１実施形態による再生システムのアプリケーション設定画面を示す図である。
【図４】本発明の第１実施形態による再生システムのグループ設定画面を示す図である。
【図５】本発明の第１実施形態による再生システムのチャンネル設定画面を示す図である。
【図６】本発明の第２実施形態による再生システムの全体構成を示すブロック図である。
【図７】本発明の第２実施形態による再生システムのチャンネル設定画面を示す図である。
【図８】本発明の第３実施形態による再生システムの全体構成を示すブロック図である。
【発明を実施するための形態】
【００１８】
以下、本発明を具体化した実施形態を図面に基づいて説明する。
【００１９】
[第１実施形態]
（再生システムの構成）
まず、図１を参照して、本発明の第１実施形態による再生システム１００の構成について説明する。
【００２０】
本発明の第１実施形態による再生システム１００は、図１に示すように、録画再生装置１と、表示装置２と、無線ルータ３と、複数（８つ）のスピーカ装置４ａ〜４ｈと、携帯端末５とを備えている。再生システム１００では、録画再生装置１および表示装置２は、互いに、ＨＤＭＩ（登録商標）規格のケーブル２ａにより接続されている。また、再生システム１００では、録画再生装置１、スピーカ装置４ａおよび携帯端末５は、互いに、無線ルータ３を介して間接的に無線で接続されている。また、再生システム１００では、スピーカ装置４ａは、スピーカ装置４ｂ〜４ｈと直接的に無線で接続されている。なお、録画再生装置１は、本発明の「再生装置」の一例である。また、スピーカ装置４ａ〜４ｈは、本発明の「第１のスピーカ」の一例である。また、携帯端末５は、本発明の「外部機器」の一例である。
【００２１】
（録画再生装置の構成）
録画再生装置１は、図２に示すように、接続部１１と、読込部１２と、記憶部１３と、通信部１４と、制御部１５とを含んでいる。接続部１１と、読込部１２と、記憶部１３と、通信部１４と、制御部１５とは、録画再生装置本体１ａ（図１参照）に設けられている。
【００２２】
接続部１１は、ＨＤＭＩ規格のケーブル２ａが接続可能な端子であり、ＨＤＭＩ規格のケーブル２ａの一端が接続されるように構成されている。
【００２３】
読込部１２は、光ピックアップなどの光学系を含み、ブルーレイディスクなどのコンテンツが記憶された光ディスク（図示せず）を読み込み可能に構成されている。録画再生装置１は、光ディスクに記憶されたコンテンツを再生可能に構成されている。
【００２４】
記憶部１３は、ハードディスクドライブなどの記憶媒体を含み、たとえば指定された放送番組や読込部１２により読み込まれる光ディスクに記憶されたコンテンツなどが記憶（録画）されるように構成されている。録画再生装置１は、記憶部１３に記憶されたコンテンツを再生可能に構成されている。
【００２５】
通信部１４は、所定の規格（たとえば、ＩＥＥＥ８０２．１１規格）に基づいて、無線通信が可能に構成されている。また、通信部１４は、無線ルータ３を介して、スピーカ装置４ａおよび携帯端末５と無線通信するように構成されている。
【００２６】
制御部１５は、ＣＰＵを含み、録画再生装置１の各構成要素を制御するように構成されている。また、制御部１５は、ＨＤＭＩ規格のケーブル２ａを介して接続された表示装置２の後述するスピーカ部２３ａおよび２３ｂの情報を取得するとともに、取得されたスピーカ部２３ａおよび２３ｂの情報を携帯端末５に対して送信するように構成されている。また、制御部１５は、後述する第２の属性情報に基づいて、表示装置２のスピーカ部２３ａおよび２３ｂと、録画再生装置１とを対応付けるように構成されている。つまり、表示装置２のスピーカ部２３ａおよび２３ｂは、録画再生装置１に対応する（録画再生装置１により再生されるコンテンツの音声データを再生する）スピーカである。
【００２７】
（表示装置の構成）
表示装置２は、放送信号を受信可能なテレビジョン装置（ＴＶ装置）である。また、表示装置２は、接続部２１と、表示部２２と、複数（２つ）のスピーカ部２３ａおよび２３ｂと、制御部２４とを含んでいる。
【００２８】
接続部２１は、ＨＤＭＩ規格のケーブル２ａが接続可能な端子であり、ＨＤＭＩ規格のケーブル２ａの録画再生装置１の接続部１１に接続される一端とは反対の他端が接続されるように構成されている。
【００２９】
表示部２２は、液晶パネルを含み、受信された放送信号に対応する映像や、録画再生装置１により再生されるコンテンツに対応する映像などを表示するように構成されている。
【００３０】
複数（２つ）のスピーカ部２３ａおよび２３ｂは、共に、受信された放送信号に対応する音声データの音声や、録画再生装置１により再生されるコンテンツに対応する音声データの音声を出力するように構成されている。
【００３１】
制御部２４は、ＣＰＵを含み、表示装置２の各構成要素を制御するように構成されている。
【００３２】
（スピーカ装置の構成）
複数（８つ）のスピーカ装置４ａ〜４ｈは、マルチルームオーディオシステムを構成するスピーカ装置である。ここで、マルチルームオーディオシステムとは、１つの配信機器（録画再生装置１や、携帯端末５など）から複数の部屋に配置されたスピーカ装置に音声データまたは音楽データをネットワークで配信するオーディオシステムである。第１実施形態では、複数（８つ）のスピーカ装置４ａ〜４ｈのうち６つのスピーカ装置４ａ〜４ｆは、図１に示すように、リビングＲ１に配置されている。また、複数（８つ）のスピーカ装置４ａ〜４ｈのうち２つのスピーカ装置４ｇおよび４ｈは、リビングＲ１とは異なる他の部屋Ｒ２に配置されている。また、マルチルームオーディオシステムでは、たとえば各部屋に配置されるスピーカ装置によりグループを形成するとともに、各グループに対してそれぞれ異なる音声データまたは音楽データを配信することが可能である。なお、マルチオーディオシステムは、本発明の「所定のオーディオシステム」の一例である。
【００３３】
また、マルチルームオーディオシステムでは、複数（８つ）のスピーカ装置４ａ〜４ｈは、親機（マスタ）としてのスピーカ装置４ａと、子機（スレーブ）としてのスピーカ装置４ｂ〜４ｈとを含んでいる。また、親機としてのスピーカ装置４ａは、子機としてのスピーカ装置４ｂ〜４ｈに対して、配信機器からの音声データまたは音楽データを配信（送信）するように構成されている。なお、図１、図２、図４および図５では、理解の容易のため、親機としてのスピーカ装置４ａを、「スピーカ装置（Ｍ）」と、子機としてのスピーカ装置４ｂ〜４ｈを、「スピーカ装置（Ｓ）」と図示している。
【００３４】
図２に示すように、親機としてのスピーカ装置４ａは、通信部４１ａと、スピーカ部４２ａと、制御部４３ａとを含んでいる。
【００３５】
通信部４１ａは、所定の規格（たとえば、ＩＥＥＥ８０２．１１規格）に基づいて、無線通信が可能に構成されている。また、通信部４１ａは、無線ルータ３を介して、録画再生装置１および携帯端末５と無線通信するように構成されている。また、通信部４１ａは、子機としてのスピーカ装置４ｂ〜４ｈと無線通信するように構成されている。
【００３６】
スピーカ部４２ａは、配信機器からの音声データの音声または音楽データの音楽を出力するように構成されている。
【００３７】
制御部４３ａは、スピーカ装置４ａの各構成要素を制御するように構成されている。
【００３８】
子機としてのスピーカ装置４ｂ〜４ｈは、互いに略同様の構成であるので、ここではスピーカ装置４ｂについて説明する。スピーカ装置４ｂは、通信部４１ｂと、スピーカ部４２ｂと、制御部４３ｂとを含んでいる。
【００３９】
通信部４１ｂは、所定の規格（たとえば、ＩＥＥＥ８０２．１１規格）に基づいて、無線通信が可能に構成されている。また、通信部４１ｂは、親機としてのスピーカ装置４ａと無線通信するように構成されている。
【００４０】
スピーカ部４２ｂは、親機としてのスピーカ装置４ａからの音声データの音声または音楽データの音楽を出力するように構成されている。
【００４１】
制御部４３ｂは、スピーカ装置４ｂの各構成要素を制御するように構成されている。
【００４２】
（携帯端末の構成）
携帯端末５は、スマートフォン（多機能携帯電話）や、タブレットＰＣなどの携帯端末である。また、携帯端末５は、記憶部５１と、表示部５２と、複数（２つ）のスピーカ部５３ａおよび５３ｂと、通信部５４と、制御部５５とを含んでいる。
【００４３】
記憶部５１は、ＲＯＭやＲＡＭなどのメモリを含み、携帯端末５を動作させるためのプログラムなどが記憶されるように構成されている。第１実施形態では、記憶部５１は、再生システム１００の設定を行うためのプログラムが記憶されるように構成されている。この再生システム１００の設定の詳細については、後述する。また、記憶部５１は、音楽や動画などのコンテンツが記憶されるように構成されている。
【００４４】
表示部５２は、液晶パネルを含み、記憶部５１に記憶されたプログラムに対応する画像や、記憶部５１に記憶されたコンテンツに対応する映像などを表示するように構成されている。
【００４５】
複数（２つ）のスピーカ部５３ａおよび５３ｂは、共に、記憶部５１に記憶されたコンテンツに対応する音声データの音声または音楽データの音楽を出力するように構成されている。
【００４６】
通信部５４は、所定の規格（たとえば、ＩＥＥＥ８０２．１１規格）に基づいて、無線通信が可能に構成されている。また、通信部５４は、無線ルータ３を介して、録画再生装置１およびスピーカ装置４ａと無線通信するように構成されている。
【００４７】
（再生システムの設定）
次に、図３〜図５を参照して、再生システム１００の設定について説明する。再生システム１００では、携帯端末５をコントローラとして用いて再生システム１００の設定が行われる。
【００４８】
図３に示すように、携帯端末５の制御部５５（図２参照）は、記憶部５１（図２参照）に記憶された再生システム１００（図２参照）の設定を行うためのプログラムが起動されると、アプリケーション設定画面６０を表示部５２（図２参照）に表示させる制御を行うように構成されている。
【００４９】
アプリケーション設定画面６０は、接続設定６１と、グループ設定６２と、チャンネル設定６３とを含んでいる。アプリケーション設定画面６０において、接続設定６１が選択された場合には、携帯端末５の制御部５５は、マルチルームオーディオシステムのスピーカ装置を登録する制御を行うように構成されている。たとえば、接続設定６１が選択された後、スピーカ装置４ａ〜４ｈ（図２参照）に設けられたプッシュボタン（図示せず）を操作することにより、マルチルームオーディオシステムのスピーカ装置を、携帯端末５に登録すること（認識させること）が可能である。第１実施形態では、携帯端末５には、マルチルームオーディオシステムのスピーカ装置として、スピーカ装置４ａ〜４ｈが登録されている。
【００５０】
また、アプリケーション設定画面６０において、グループ設定６２が選択された場合には、図４に示すように、携帯端末５の制御部５５は、グループ設定画面７０を表示部５２に表示させる制御を行うように構成されている。グループ設定画面７０は、登録されたスピーカ装置のうちいずれのスピーカ装置によりマルチルームオーディオシステムのグループを形成するかを設定するとともに、形成されたグループに対していずれの配信機器により音声データまたは音楽データを配信するかを設定することが可能な設定画面である。
【００５１】
グループ設定画面７０では、携帯端末５の制御部５５は、登録されたマルチルームオーディオシステムのスピーカ装置４ａ〜４ｈを、グループが形成可能なマルチルームオーディオシステムのスピーカ装置として、ユーザにより選択可能に表示部５２に表示させる制御を行うとともに、無線ルータ３を介してＩＰ（Ｉｎｔｅｒｎｅｔ  Ｐｒｏｔｃｏｌ）アドレスが取得された録画再生装置１および自機（携帯端末５）を、配信機器として、ユーザにより選択可能に表示部５２に表示させる制御を行うように構成されている。図４では、第１グループを形成するスピーカ装置としてリビングＲ１（図１参照）に配置されたスピーカ装置４ａ〜４ｆの６つのスピーカ装置が設定され、第２グループを形成するスピーカ装置として他の部屋Ｒ２（図１参照）に配置されたスピーカ装置４ｇおよび４ｈが設定された例を示している。また、図４では、第１グループの配信機器として録画再生装置１が設定され、第２グループの配信機器として携帯端末５が設定された例を示している。
【００５２】
また、アプリケーション設定画面６０において、チャンネル設定６３が選択された場合には、図５に示すように、携帯端末５の制御部５５は、チャンネル設定画面８０を表示部５２に表示させる制御を行うように構成されている。チャンネル設定画面８０は、いずれのスピーカ装置によりいずれのチャンネルの音声データを出力するかを設定することが可能な設定画面である。
【００５３】
ここで、第１実施形態では、携帯端末５の制御部５５は、ＨＤＭＩ規格のケーブル２ａにより録画再生装置１に接続された表示装置２の複数（２つ）のスピーカ部２３ａおよび２３ｂの情報を、無線ルータ３を介して録画再生装置１から取得するように構成されている。また、携帯端末５の制御部５５は、配信機器として録画再生装置１が設定された第１グループのチャンネル設定を行う場合には、図５に示すように、第１グループを形成するスピーカ装置４ａ〜４ｆおよび第１グループを形成しないグループ外のスピーカ（表示装置２のスピーカ部２３ａおよび２３ｂ）の各スピーカから出力されるコンテンツの音声データのチャンネルを、ユーザにより選択可能に表示部５２に表示させる（提示する）制御を行うように構成されている。なお、表示装置２のスピーカ部２３ａおよび２３ｂは、本発明の「第２のスピーカ」の一例である。
【００５４】
図５では、７．１チャンネルの音声データのチャンネルを、スピーカ装置４ａ〜４ｆ、スピーカ部２３ａおよびスピーカ部２３ｂのそれぞれに割り当てるように設定された例を示している。具体的には、７．１チャンネルの音声データのチャンネルのうちＣｅｎｔｅｒをスピーカ装置４ａに割り当て、Ｓｕｒｒｏｕｎｄ  Ｌをスピーカ装置４ｂに割り当て、Ｓｕｒｒｏｕｎｄ  Ｒをスピーカ装置４ｃに割り当て、Ｓｕｒｒｏｕｎｄ  Ｂａｃｋ  Ｌをスピーカ装置４ｄに割り当て、Ｓｕｒｒｏｕｎｄ  Ｂａｃｋ  Ｒをスピーカ装置４ｅに割り当て、Ｓｕｂｗｏｏｆｅｒをスピーカ装置４ｆに割り当て、表示装置２のスピーカ部２３ａにＦｒｏｎｔ  Ｌを割り当て、表示装置２のスピーカ部２３ｂにＦｒｏｎｔ  Ｒを割り当てるように設定された例を示している。
【００５５】
また、携帯端末５の制御部５５は、グループ設定画面７０およびチャンネル設定画面８０で設定された設定情報を、無線ルータ３を介して、録画再生装置１およびスピーカ装置４ａに対して配信（送信）するように構成されている。また、親機としてのスピーカ装置４ａの制御部４３ａは、携帯端末５からの設定情報を、子機としてのスピーカ装置４ｂ〜４ｈに対して配信（送信）するように構成されている。これにより、再生システム１００では、再生システム１００内の機器間で設定情報が共有されるとともに、設定情報に基づいて、コンテンツが再生される。
【００５６】
また、第１実施形態では、録画再生装置１の制御部１５は、第１グループ内のスピーカ装置４ａ〜４ｆの第１の属性情報と、表示装置２のスピーカ部２３ａおよび２３ｂの第２の属性情報とを取得し、取得された第１の属性情報および第２属性情報に基づきスピーカ装置４ａ〜４ｆと表示装置２のスピーカ部２３ａおよび２３ｂとを関連付ける制御を行うように構成されている。ここで、スピーカ装置４ａ〜４ｆの第１の属性情報は、マルチルームオーディオシステムにおいて複数のスピーカにより形成されるグループ（第１グループや第２グループ）のスピーカであるという情報や、グループ内のスピーカ装置の数の情報、グループ内の子機の数の情報を含む情報である。また、表示装置２のスピーカ部２３ａおよび２３ｂの第２の属性情報は、表示装置２に設けられたスピーカであるという情報や、スピーカの数の情報などの情報を含む情報である。
【００５７】
また、第１実施形態では、制御部１５は、第１の属性情報に基づいて、再生するコンテンツの音声データのうちのスピーカ装置４ａ〜４ｆにより再生する音声データ（第１実施形態では、Ｃｅｎｔｅｒ、Ｓｕｒｒｏｕｎｄ  Ｌ、Ｓｕｒｒｏｕｎｄ  Ｒ、Ｓｕｒｒｏｕｎｄ  Ｂａｃｋ  Ｌ、Ｓｕｒｒｏｕｎｄ  Ｂａｃｋ  Ｒ、およびＳｕｂｗｏｏｆｅｒのチャンネルの音声データ）を、スピーカ装置４ａに対して送信する制御を行うように構成されている。また、制御部１５は、第２の属性情報に基づいて、再生するコンテンツの音声データのうちの表示装置２のスピーカ部２３ａおよび２３ｂにより再生する音声データ（第１実施形態では、Ｆｒｏｎｔ  ＬおよびＦｒｏｎｔ  Ｒのチャンネルの音声データ）を、表示装置２のスピーカ部２３ａおよび２３ｂに対して送信する制御を行うように構成されている。
【００５８】
（再生システムによるコンテンツの再生）
次に、図２を参照して、再生システム１００によるコンテンツの再生を説明する。ここでは、図４および図５の設定がなされた状態で、録画再生装置１によりコンテンツを再生する場合を例に説明する。
【００５９】
まず、たとえば録画再生装置１の読込部１２によりブルーレイディスクなどの光ディスクが読み込まれることにより、光ディスクに記憶されたコンテンツの再生が開始される。
【００６０】
そして、コンテンツの映像データおよび音声データを、表示装置２に対して送信する制御が録画再生装置１の制御部１５により行われる。具体的には、映像データと、音声データのうちスピーカ部２３ａおよび２３ｂにそれぞれ割り当てられたＦｒｏｎｔ  ＬおよびＦｒｏｎｔ  Ｒのチャンネルの音声データとを、ＨＤＭＩ規格のケーブル２ａを介して、表示装置２に対して送信する制御が録画再生装置１の制御部１５により行われる。この際、第２の属性情報に基づいて、音声データのうちスピーカ部２３ａおよび２３ｂにそれぞれ割り当てられたＦｒｏｎｔ  ＬおよびＦｒｏｎｔ  Ｒのチャンネルの音声データが送信される。この結果、表示装置２の表示部２２にコンテンツの映像が表示され、スピーカ部２３ａおよび２３ｂによりそれぞれＦｒｏｎｔ  ＬおよびＦｒｏｎｔ  Ｒのチャンネルの音声データの音声が出力される。
【００６１】
また、第１実施形態では、携帯端末５からの設定情報に基づいて、第１グループおよび第２グループを形成するグループ内のスピーカ４ａ〜４ｈのうち、親機としてのスピーカ４ａの情報（ＩＰアドレスなど）が録画再生装置１の制御部１５により取得される。そして、無線ルータ３を介して、第１グループおよび第２グループを形成するグループ内のスピーカ４ａ〜４ｈのうち、親機としてのスピーカ４ａに対して、コンテンツの音声データを送信する制御が録画再生装置１の制御部１５により行われる。この際、第１の属性情報に基づいて、音声データのうちスピーカ装置４ａ〜４ｆに割り当てられたＣｅｎｔｅｒ、Ｓｕｒｒｏｕｎｄ  Ｌ、Ｓｕｒｒｏｕｎｄ  Ｒ、Ｓｕｒｒｏｕｎｄ  Ｂａｃｋ  Ｌ、Ｓｕｒｒｏｕｎｄ  Ｂａｃｋ  Ｒ、およびＳｕｂｗｏｏｆｅｒのチャンネルの音声データが送信される。
【００６２】
そして、録画再生装置１からの音声データが取得されると、取得された音声データを第１グループを形成する子機としてのスピーカ装置４ｂ〜４ｆに対して送信する制御が親機としてのスピーカ装置４ａの制御部４３ａにより行われる。この結果、第１グループを形成するスピーカ装置４ａ〜４ｆにより、設定情報に基づいて、それぞれ、Ｃｅｎｔｅｒの音声データの音声、Ｓｕｒｒｏｕｎｄ  Ｌの音声データの音声、Ｓｕｒｒｏｕｎｄ  Ｒの音声データの音声、Ｓｕｒｒｏｕｎｄ  Ｂａｃｋ  Ｌの音声データの音声、Ｓｕｒｒｏｕｎｄ  Ｂａｃｋ  Ｒの音声データの音声、Ｓｕｂｗｏｏｆｅｒの音声データの音声が出力される。
【００６３】
これらの結果、第１グループを形成する６つのスピーカ装置４ａ〜４ｆと、グループ外の表示装置２の２つのスピーカ部２３ａおよび２３ｂとにより、配信機器としての録画再生装置１が再生するコンテンツの７．１チャンネル分の音声データが再生されるとともに、表示装置２の表示部２２により、配信機器としての録画再生装置１が再生するコンテンツの映像データが再生される。
【００６４】
なお、マルチルームオーディオシステムでは、録画再生装置１のコンテンツの再生中にも、第２グループを形成するスピーカ装置２ｇおよび２ｈにより、携帯端末５の記憶部５１に記憶されたコンテンツの音声データまたは音楽データなどを再生することが可能である。この場合、無線ルータ３を介して、携帯端末５から親機としてのスピーカ装置４ａに対して、音声データまたは音楽データが送信された後、親機としてのスピーカ装置４ａから子機としてのスピーカ装置４ｇおよび４ｈに音声データまたは音楽データが送信される。
【００６５】
（第１実施形態の効果）
第１実施形態では、以下のような効果を得ることができる。
【００６６】
第１実施形態では、上記のように、配信機器として録画再生装置１が設定された第１グループ内のスピーカ装置４ａ〜４ｆの第１の属性情報と、グループ外のスピーカ（表示装置２のスピーカ部２３ａおよび２３ｂ）の第２の属性情報とを取得し、第１の属性情報および第２の属性情報に基づきスピーカ装置４ａ〜４ｆと表示装置２のスピーカ部２３ａおよび２３ｂとを関連付ける制御を行うように録画再生装置１の制御部１５を構成する。これにより、スピーカ装置４ａ〜４ｆと録画再生装置１に接続された表示装置２のスピーカ部２３ａおよび２３ｂとを連携させて、コンテンツの音声データを再生させることができる。その結果、録画再生装置１に接続された表示装置２のスピーカ部２３ａおよび２３ｂの数が多チャンネル分の数よりも少ない場合にも、多チャンネルの音声データを容易に再生することができる。また、上記のように、この再生システム１００によれば、マルチルームオーディオのスピーカ装置４ａ〜４ｈと、表示装置２のスピーカ部２３ａおよび２３ｂを連携させて、７．１チャンネルなどの多チャンネルの音声データを再生することができるので、ユーザに対して容易にホームシアターシステムを提供することができる。
【００６７】
また、第１実施形態では、上記のように、第２の属性情報に基づいて、表示装置２のスピーカ部２３ａおよび２３ｂと録画再生装置１とを対応付けるように制御部１５を構成する。これにより、録画再生装置１と対応付けられた表示装置２のスピーカ部２３ａおよび２３ｂを利用して、多チャンネルの音声データを容易に再生することができる。
【００６８】
また、第１実施形態では、上記のように、第１の属性情報に基づいて、再生するコンテンツの音声データのうちのマルチルームオーディオシステムのスピーカ装置４ａ〜４ｆにより再生する音声データを、マルチルームオーディオシステムのスピーカ装置４ａ〜４ｆに対して送信し、第２の属性情報に基づいて、再生するコンテンツの音声データのうちの表示装置２のスピーカ部２３ａおよび２３ｂにより再生する音声データを、表示装置２のスピーカ部２３ａおよび２３ｂに対して送信するように制御部１５を構成する。これにより、表示装置２のスピーカ部２３ａおよび２３ｂとマルチルームオーディオシステムのスピーカ装置４ａ〜４ｆとにより、確実に、多チャンネルの音声データを再生することができる。
【００６９】
また、第１実施形態では、上記のように、マルチルームオーディオのスピーカ装置４ａ以外の携帯端末５とも通信するように通信部１４を構成する。そして、制御部１５は、携帯端末５において表示装置２のスピーカ部２３ａおよび２３ｂおよびマルチルームオーディオシステムのスピーカ装置４ａ〜４ｆの各スピーカから出力される再生するコンテンツの音声データのチャンネルを設定した設定情報を、通信部１４を介して、携帯端末５から取得するように構成されている。これにより、コンテンツの音声データのチャンネルをいずれのスピーカから出力させるかを、ユーザは携帯端末５を用いて任意に選択することができる。その結果、ユーザの好みに応じた多チャンネルの音声データを再生することができる。
【００７０】
また、第１実施形態では、上記のように、第１の属性情報は、マルチルームオーディオシステムにおいて複数のスピーカにより形成されるグループのスピーカであるという情報を含み、第２の属性情報は、表示装置２に設けられたスピーカであるという情報を含む。これにより、マルチルームオーディオシステムを構成するスピーカとしてのスピーカ装置４ａ〜４ｈと、表示装置２に設けられたスピーカとしてのスピーカ部２３ａおよび２３ｂとを容易に関連付けることができる。
【００７１】
[第２実施形態]
次に、図３、図４、図６および図７を参照して、第２実施形態について説明する。この第２実施形態では、ＨＤＭＩ規格のケーブル２ａにより録画再生装置１に接続された表示装置２のスピーカ部２３ａおよび２３ｂを、グループ外のスピーカとして用いた上記第１実施形態とは異なり、Ｂｌｕｅｔｏｏｔｈ（登録商標）規格に基づいて録画再生装置１０１に無線で接続されたスピーカ装置１０６を、グループ外のスピーカとして用いる例について説明する。なお、録画再生装置１０１は、本発明の「再生装置」の一例である。
【００７２】
（再生システムの構成）
本発明の第２実施形態による再生システム２００は、図６に示すように、録画再生装置１０１と、携帯端末１０５と、スピーカ装置１０６とを備える点で、上記第１実施形態の再生システム１００とは相違する。なお、上記第１実施形態と同一の構成については、同じ符号を付してその説明を省略する。また、スピーカ装置１０６は、本発明の「第２のスピーカ」の一例である。また、携帯端末１０５は、本発明の「外部機器」の一例である。
【００７３】
第２実施形態では、図６に示すように、録画再生装置１０１およびスピーカ装置１０６は、互いに、Ｂｌｕｅｔｏｏｔｈ規格に基づいて無線で接続されている。
【００７４】
（録画再生装置の構成）
録画再生装置１０１は、制御部１１５と、通信部１１６とを備える点で、上記第１実施形態の録画再生装置１とは相違する。
【００７５】
通信部１１６は、Ｂｌｕｅｔｏｏｔｈ規格に基づいて、無線通信が可能に構成されている。また、通信部１１６は、スピーカ装置１０６と直接的に無線通信するように構成されている。
【００７６】
制御部１１５は、通信部１１６を介して接続されたスピーカ装置１０６の情報を取得するとともに、取得されたスピーカ装置１０６の情報を携帯端末５に対して送信するように構成されている。
【００７７】
（スピーカ装置の構成）
スピーカ装置１０６は、通信部１６１と、スピーカ部１６２と、制御部１６３とを含んでいる。
【００７８】
通信部１６１は、Ｂｌｕｅｔｏｏｔｈ規格に基づいて、無線通信が可能に構成されている。また、通信部１６１は、録画再生装置１０１と直接的に無線通信するように構成されている。
【００７９】
スピーカ部１６２は、録画再生装置１０１からの音声データの音声を出力するように構成されている。
【００８０】
制御部１６３は、スピーカ装置１０６の各構成要素を制御するように構成されている。
【００８１】
（再生システムの設定）
次に、図３、図４および図７を参照して、再生システム２００の設定について説明する。再生システム２００では、携帯端末１０５をコントローラとして用いて再生システム２００の設定が行われる。携帯端末１０５は、制御部１５５を備える点で、上記第１実施形態の携帯端末５とは相違する。
【００８２】
図３および図４に示すように、携帯端末１０５の制御部１５５（図６参照）は、アプリケーション設定画面６０およびグループ設定画面７０を表示部５２（図６参照）に表示させる制御を行うように構成されている。図４では、第１グループを形成するスピーカ装置としてスピーカ装置４ａ〜４ｆの６つのスピーカ装置が設定され、第２グループを形成するスピーカ装置としてスピーカ装置４ｇおよび４ｈが設定された例を示している。また、図４では、第１グループの配信機器として録画再生装置１０１が設定され、第２グループの配信機器として携帯端末１０５が設定された例を示している。
【００８３】
また、第２実施形態では、アプリケーション設定画面６０において、チャンネル設定６３が選択された場合には、図７に示すように、携帯端末１０５の制御部１５５は、チャンネル設定画面１８０を表示部５２に表示させる制御を行うように構成されている。チャンネル設定画面１８０は、いずれのスピーカ装置によりいずれのチャンネルの音声データを出力するかを設定することが可能な設定画面である。
【００８４】
また、第２実施形態では、携帯端末１０５の制御部１５５は、Ｂｌｕｅｔｏｏｔｈ規格に基づいて録画再生装置１０１に無線で接続されたスピーカ装置１０６の情報を、無線ルータ３を介して録画再生装置１０１から取得するように構成されている。また、携帯端末１０５の制御部１５５は、配信機器として録画再生装置１０１が設定された第１グループのチャンネル設定を行う場合には、図７に示すように、第１グループを形成するグループ内のスピーカ装置４ａ〜４ｆおよび第１グループを形成しないグループ外のスピーカ（スピーカ装置１０６）の各スピーカから出力されるコンテンツの音声データのチャンネルを、ユーザにより選択可能に表示部５２に表示させる（提示する）制御を行うように構成されている。
【００８５】
図７では、７．１チャンネルの音声データのチャンネルを、スピーカ装置４ａ〜４ｆ、スピーカ装置１０６のそれぞれに割り当てるように設定された例を示している。具体的には、７．１チャンネルの音声データのチャンネルのうちＣｅｎｔｅｒをスピーカ装置４ａに割り当て、Ｓｕｒｒｏｕｎｄ  Ｌをスピーカ装置４ｂに割り当て、Ｓｕｒｒｏｕｎｄ  Ｒをスピーカ装置４ｃに割り当て、Ｓｕｒｒｏｕｎｄ  Ｂａｃｋ  Ｌをスピーカ装置４ｄに割り当て、Ｓｕｒｒｏｕｎｄ  Ｂａｃｋ  Ｒをスピーカ装置４ｅに割り当て、Ｓｕｂｗｏｏｆｅｒをスピーカ装置４ｆに割り当て、スピーカ装置１０６にＦｒｏｎｔ  ＬおよびＦｒｏｎｔ  Ｒを割り当てるように設定された例を示している。このように、１つのスピーカ装置に対して、複数のチャンネルを割り当てることも可能である。図７では、スピーカ装置１０６に対して、複数のチャンネルを割り当てる場合を示したが、たとえばスピーカ装置４ａ〜４ｆのうちいずれかに対して複数のチャンネルを割り当てることも可能である。
【００８６】
また、携帯端末１０５の制御部１５５は、グループ設定画面７０およびチャンネル設定画面１８０で設定された設定情報を、無線ルータ３を介して、録画再生装置１０１およびスピーカ装置４ａに対して配信（送信）するように構成されている。また、親機としてのスピーカ装置４ａの制御部４３ａは、携帯端末１０５からの設定情報を、子機としてのスピーカ装置４ｂ〜４ｈに対して配信（送信）するように構成されている。これにより、再生システム２００では、再生システム２００内の機器間で設定情報が共有されるとともに、設定情報に基づいて、コンテンツが再生される。
【００８７】
また、第２実施形態では、録画再生装置１０１の制御部１１５は、第１グループ内のスピーカ装置４ａ〜４ｆの第１の属性情報と、スピーカ装置１０６の第２の属性情報とを取得し、取得された第１の属性情報および第２属性情報に基づきスピーカ装置４ａ〜４ｆとスピーカ装置１０６とを関連付ける制御を行うように構成されている。ここで、スピーカ装置４ａ〜４ｆの第１の属性情報は、マルチルームオーディオシステムを構成するスピーカであるという情報や、グループ内のスピーカ装置の数の情報、グループ内の子機の数の情報を含む情報である。また、スピーカ装置１０６の第２の属性情報は、スピーカ装置１０６を構成するスピーカであるという情報や、スピーカの数の情報などの情報を含む情報である。
【００８８】
（再生システムによるコンテンツの再生）
次に、図６を参照して、再生システム２００によるコンテンツの再生を説明する。ここでは、図４および図７の設定がなされた状態で、録画再生装置１０１によりコンテンツを再生する場合を例に説明する。
【００８９】
まず、たとえば録画再生装置１０１の読込部１２によりブルーレイディスクなどの光ディスクが読み込まれることにより、光ディスクに記憶されたコンテンツの再生が開始される。
【００９０】
そして、コンテンツの映像データを、表示装置２に対して送信する制御が録画再生装置１０１の制御部１１５により行われる。この結果、表示装置２の表示部２２にコンテンツの映像が表示される。
【００９１】
また、コンテンツの音声データのうちスピーカ装置１０６に割り当てられたＦｒｏｎｔ  ＬおよびＦｒｏｎｔ  Ｒのチャンネルの音声データをスピーカ装置１０６に対して送信する制御が録画再生装置１０１の制御部１１５により行われる。この結果、スピーカ装置１０６により、Ｆｒｏｎｔ  ＬおよびＦｒｏｎｔ  Ｒのチャンネルの音声データの音声が出力される。
【００９２】
また、携帯端末１０５からの設定情報に基づいて、第１グループおよび第２グループを形成するグループ内のスピーカ４ａ〜４ｈのうち、親機としてのスピーカ４ａの情報（ＩＰアドレスなど）が録画再生装置１０１の制御部１１５により取得される。そして、無線ルータ３を介して、第１グループおよび第２グループを形成するグループ内のスピーカ４ａ〜４ｈのうち、親機としてのスピーカ４ａに対して、コンテンツの音声データを送信する制御が録画再生装置１０１の制御部１１５により行われる。
【００９３】
そして、録画再生装置１０１からの音声データが取得されると、取得された音声データを第１グループを形成する子機としてのスピーカ装置４ｂ〜４ｆに対して送信する制御が親機としてのスピーカ装置４ａの制御部４３ａにより行われる。この結果、第１グループを形成するスピーカ装置４ａ〜４ｆにより、設定情報に基づいて、それぞれ、Ｃｅｎｔｅｒの音声データの音声、Ｓｕｒｒｏｕｎｄ  Ｌの音声データの音声、Ｓｕｒｒｏｕｎｄ  Ｒの音声データの音声、Ｓｕｒｒｏｕｎｄ  Ｂａｃｋ  Ｌの音声データの音声、Ｓｕｒｒｏｕｎｄ  Ｂａｃｋ  Ｒの音声データの音声、Ｓｕｂｗｏｏｆｅｒの音声データの音声が出力される。
【００９４】
これらの結果、第２実施形態では、第１グループを形成する６つのスピーカ装置４ａ〜４ｆと、グループ外のスピーカ装置１０６とにより、配信機器としての録画再生装置１０１が再生するコンテンツの７．１チャンネル分の音声データが再生されるとともに、表示装置２の表示部２２により、配信機器としての録画再生装置１０１が再生するコンテンツの映像データが再生される。
【００９５】
なお、第２実施形態のその他の構成は、上記第１実施形態と同様である。
【００９６】
（第２実施形態の効果）
第２実施形態では、以下のような効果を得ることができる。
【００９７】
第２実施形態では、上記のように、配信機器として録画再生装置１が設定された第１グループ内のスピーカ装置４ａ〜４ｆの第１の属性情報と、グループ外のスピーカ（スピーカ装置１０６）の第２の属性情報とを取得し、第１の属性情報および第２の属性情報に基づきスピーカ装置４ａ〜４ｆとスピーカ部１０６とを関連付ける制御を行うように制御部１１５を構成する。これにより、上記第１実施形態と同様に、録画再生装置１０１に接続されたスピーカ装置１０６の数が多チャンネル分の数よりも少ない場合にも、多チャンネルの音声データを再生することができる。
【００９８】
なお、第２実施形態のその他の効果は、上記第１実施形態と同様である。
【００９９】
[第３実施形態]
次に、図３〜図５および図８を参照して、第３実施形態について説明する。この第３実施形態では、携帯端末５をコントローラとして用いて再生システム１００の設定が行われた上記第１実施形態とは異なり、録画再生装置２０１をコントローラとして用いて再生システム３００の設定が行われる例について説明する。なお、録画再生装置２０１は、本発明の「再生装置」の一例である。
【０１００】
（再生システムの構成）
本発明の第３実施形態による再生システム３００は、図８に示すように、録画再生装置２０１を備える点で、上記第１実施形態の再生システム１００とは相違する。なお、上記第１実施形態と同一の構成については、同じ符号を付してその説明を省略する。
【０１０１】
（再生システムの設定）
次に、図３〜図５を参照して、再生システム３００の設定について説明する。再生システム３００では、録画再生装置２０１をコントローラとして用いて再生システム３００の設定が行われる。録画再生装置２０１は、制御部２１５を備える点で、上記第１実施形態の録画再生装置１とは相違する。
【０１０２】
図３〜図５に示すように、録画再生装置２０１の制御部２１５（図８参照）は、アプリケーション設定画面６０、グループ設定画面７０およびチャンネル設定画面８０を表示装置２の表示部２２に表示させる制御を行うように構成されている。
【０１０３】
具体的には、第３実施形態では、アプリケーション設定画面６０において、接続設定６１が選択された場合には、録画再生装置２０１の制御部２１５は、マルチルームオーディオシステムのスピーカ装置を登録する制御を行うように構成されている。たとえば、接続設定６１が選択された後、スピーカ装置４ａ〜４ｈ（図８参照）に設けられたプッシュボタン（図示せず）を操作することにより、マルチルームオーディオシステムのスピーカ装置を、録画再生装置２０１に登録すること（認識させること）が可能である。第３実施形態では、録画再生装置２０１には、マルチルームオーディオシステムのスピーカ装置として、スピーカ装置４ａ〜４ｈが登録されている。
【０１０４】
また、アプリケーション設定画面６０において、グループ設定６２が選択された場合には、図４に示すように、録画再生装置２０１の制御部２１５は、グループ設定画面７０を表示装置２の表示部２２に表示させる制御を行うように構成されている。グループ設定画面７０では、録画再生装置２０１の制御部２１５は、登録されたマルチルームオーディオシステムのスピーカ装置４ａ〜４ｈを、グループが形成可能なマルチルームオーディオシステムのスピーカ装置として、ユーザにより選択可能に表示装置２の表示部２２に表示させる制御を行うとともに、無線ルータ３を介してＩＰ（Ｉｎｔｅｒｎｅｔ  Ｐｒｏｔｃｏｌ）アドレスが取得された携帯端末５および自機（録画再生装置２０１）を、配信機器として、ユーザにより選択可能に表示装置２の表示部２２に表示させる制御を行うように構成されている。
【０１０５】
また、アプリケーション設定画面６０において、チャンネル設定６３が選択された場合には、図５に示すように、録画再生装置２０１の制御部２１５は、チャンネル設定画面８０を表示装置２の表示部２２に表示させる制御を行うように構成されている。また、録画再生装置２０１の制御部２１５は、配信機器として録画再生装置２０１が設定された第１グループのチャンネル設定を行う場合には、第１グループを形成するスピーカ装置４ａ〜４ｆおよびグループ外のスピーカ（表示装置２のスピーカ部２３ａおよび２３ｂ）の各スピーカから出力されるコンテンツの音声データのチャンネルを、ユーザにより選択可能に表示装置２の表示部２２に表示させる（提示する）制御を行うように構成されている。
【０１０６】
なお、第３実施形態のその他の構成は、上記第１実施形態と同様である。
【０１０７】
（第３実施形態の効果）
第３実施形態では、以下のような効果を得ることができる。
【０１０８】
第３実施形態では、上記のように、配信機器として録画再生装置１が設定された第１グループ内のスピーカ装置４ａ〜４ｆの第１の属性情報と、グループ外のスピーカ（表示装置２のスピーカ部２３ａおよび２３ｂ）の第２の属性情報とを取得し、第１の属性情報および第２の属性情報に基づきスピーカ装置４ａ〜４ｆと表示装置２のスピーカ部２３ａおよび２３ｂとを関連付ける制御を行うように録画再生装置２０１の制御部２１５を構成する。これにより、上記第１実施形態と同様に、再生装置２０１に接続された表示装置２のスピーカ部２３ａおよび２３ｂの数が多チャンネル分の数よりも少ない場合にも、多チャンネルの音声データを再生することができる。
【０１０９】
また、第３実施形態では、上記のように、配信機器として録画再生装置１が設定された第１グループ内のスピーカ装置４ａ〜４ｆおよびグループ外のスピーカ（表示装置２のスピーカ部２３ａおよび２３ｂ）の各スピーカから出力されるコンテンツの音声データのチャンネルを設定する制御を行うように制御部２１５を構成する。これにより、コンテンツの音声データのチャンネルをいずれのスピーカから出力させるかを、ユーザは任意に選択することができる。その結果、ユーザの好みに応じた多チャンネルの音声データを再生することができる。
【０１１０】
なお、第３実施形態のその他の効果は、上記第１実施形態と同様である。
【０１１１】
（変形例）
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更（変形例）が含まれる。
【０１１２】
たとえば、上記第１〜第３実施形態では、録画機能と再生機能との両方を有する録画再生装置１（１０１、２０１）に対して本発明を適用した例を示したが、本発明はこれに限られない。本発明は、光ディスクなどの再生機能のみを有する再生装置に適用されてもよい。
【０１１３】
また、上記第１〜第３実施形態では、８つのスピーカ装置４ａ〜４ｈにより、マルチルームオーディオシステムを構成した例を示したが、本発明はこれに限られない。本発明では、８つ以外の複数のスピーカ装置により、マルチルームオーディオシステムを構成してもよい。
【０１１４】
また、上記第１〜第３実施形態では、録画再生装置１（１０１、２０１）、スピーカ装置４ａおよび携帯端末５（１０５）が、互いに、無線ルータ３を介して間接的に無線で接続された例を示したが、本発明はこれに限られない。本発明では、録画再生装置、スピーカ装置および携帯端末が、互いに、無線ルータを介することなく直接的に無線で接続されてもよい。また、録画再生装置、スピーカ装置および携帯端末が、互いに、有線ルータを介して間接的に有線で接続されてもよい。
【０１１５】
また、上記第１〜第３実施形態では、親機としてのスピーカ装置４ａが、子機としてのスピーカ装置４ｂ〜４ｈと直接的に無線で接続された例を示したが、本発明はこれに限られない。本発明では、親機としてのスピーカ装置が、子機としてのスピーカ装置と無線ルータなどを介して間接的に無線で接続されてもよい。
【０１１６】
また、上記第１および第２実施形態では、携帯端末５（１０５）をコントローラとして用いて再生システム１００（２００）の設定が行われた例を示し、上記第３実施形態では、録画再生装置２０１をコントローラとして用いて再生システム３００の設定が行われた例を示したが本発明はこれに限られない。本発明では、録画再生装置および携帯端末の両方をコントローラとして用いて、再生システムの設定が行われてもよい。
【０１１７】
また、上記第１および第３実施形態では、ＨＤＭＩ規格のケーブル２ａにより録画再生装置１に接続された表示装置２のスピーカ部２３ａおよび２３ｂを、グループ外のスピーカとして用いた例を示し、上記第２実施形態では、Ｂｌｕｅｔｏｏｔｈ規格に基づいて録画再生装置１０１に無線で接続されたスピーカ装置１０６を、グループ外のスピーカとして用いた例を示したが、本発明はこれに限られない。本発明では、ＨＤＭＩ規格のケーブルにより再生装置に接続された表示装置のスピーカ部、および、Ｂｌｕｅｔｏｏｔｈ規格に基づいて再生装置に無線で接続されたスピーカ装置の両方を、グループ外のスピーカとして用いてもよい。
【符号の説明】
【０１１８】
１、１０１、２０１、３０１  録画再生装置（再生装置）
４ａ〜４ｈ  スピーカ装置（第１のスピーカ）
５、１０５  携帯端末（外部機器）
１１  接続部
１４  通信部
１５、１１５、２１５  制御部
２３ａ、２３ｂ、３１７ａ、３１７ｂ  スピーカ部（第２のスピーカ）
１００、２００、３００、４００  再生システム
１０６  スピーカ装置（第２のスピーカ）
【図１】
2017005297.tif 000003
【図２】
2017005297.tif 000004
【図３】
2017005297.tif 000005
【図４】
2017005297.tif 000006
【図５】
2017005297.tif 000007
【図６】
2017005297.tif 000008
【図７】
2017005297.tif 000009
【図８】
2017005297.tif 000010